(57)【要約】【課題】  定量性を高め、安定した搬送を行う。【解決手段】  一端に供給口４を有し他端に排出口５を有するケーシング２と、ケーシング２内に回転可能に設けられるとともに、供給口４からケーシング２内に供給される搬送物をケーシング２内を搬送して排出口５に導くスクリュー搬送体１０とを備える。スクリュー搬送体１０は、外側スクリュー羽根１２と、外側スクリュー羽根１２と逆向きの螺旋状の内側スクリュー羽根１３とから構成され、両スクリュー羽根１２、１３は互いに逆方向に回転駆動する。両スクリュー羽根１２、１３の１回転あたりの搬送容積は供給口４から排出口５にかけて順次小さくなるように構成される。ケーシング２内を搬送される搬送物は、排出口５に向かうに従って徐々に密度が高められ、排出口５付近において全断面を充満した状態となり、その状態で排出口５からケーシング２外に排出される。【選択図】        図１
2006240778.tif 000002
【特許請求の範囲】
【請求項１】
一端に供給口を有し他端に排出口を有するケーシングと、該ケーシング内に回転可能に設けられるとともに、前記供給口から前記ケーシング内に供給される搬送物を前記ケーシング内を搬送して前記排出口に導くスクリュー羽根を有するスクリュー搬送体とを備えた搬送装置であって、
前記ケーシング内における前記スクリュー羽根の１回転あたりの搬送容積が、前記供給口から排出口にかけて順次小さくなるように構成したことを特徴とする搬送装置。
【請求項２】
前記スクリュー羽根のピッチが前記供給口から前記排出口にかけて順次小さくなるように構成したことを特徴とする請求項１に記載の搬送装置。
【請求項３】
前記ケーシングの内面形状を、前記供給口から前記排出口にかけて順次小径となる形状に形成するとともに、該内面形状に合致する形状に前記スクリュー羽根の外形を形成したこと特徴とする請求項1又は２に記載の搬送装置。
【請求項４】
前記スクリュー搬送体は、内側スクリュー羽根と、この内側スクリュー羽根の外側に設けられ、前記内側スクリュー羽根とは逆向きの螺旋を有する外側スクリュー羽根とにより構成され、前記内側スクリュー羽根と前記外側スクリュー羽根は、互いに逆向きに回転可能とされていることを特徴とする請求項１から３の何れかに記載の搬送装置。
【請求項５】
前記供給口に搬送物を供給する供給手段と、該供給手段による供給動作を前記スクリュー搬送体の負荷変動又は通過中の搬送物の重量の変動の少なくとも何れか一方に応じて制御する制御手段とを備えていることを特徴とする請求項１から４の何れかに記載の搬送装置。  
【発明の詳細な説明】
【技術分野】
【０００１】
本発明は、粉粒体等の搬送物を搬送する搬送装置に関し、特に、搬送物の搬送にスクリューを用いた搬送装置に関する。
【背景技術】
【０００２】
粉粒体等の搬送物を搬送する搬送装置の一例として、一端に供給口を有し他端に排出口を有する円筒状又はテーパ筒状のケーシングと、ケーシング内に回転可能に設けられる互いに異なる方向に回転可能な一対のスクリュー羽根を有するスクリュー搬送体とを備えた搬送装置が提案されている。
【０００３】
例えば、特許文献１、特許文献２に開示されている搬送装置は、供給口からケーシング内に搬送物を供給し、スクリュー搬送体を回転駆動させることにより、互いに逆向きの螺旋方向を有する一対のスクリュー羽根が互いに逆方向に回転するように構成されている。かかる構成によれば、両スクリュー羽根の協働により搬送物がケーシング内を排出口に向かって搬送され、排出口からケーシング外に排出される。
【特許文献１】特開２００１−２２００１０号公報
【特許文献２】特開２００２−６８４８３号公報
【発明の開示】
【発明が解決しようとする課題】
【０００４】
ところで、上記のような構成の搬送装置にあっては、供給口に断続的に搬送物が供給された場合、それに応じてケーシング内を搬送される搬送物の量が時間的に変動する。このため、排出口から一定量の搬送物を排出させることが困難になり、高い定量性が要求されるような用途には利用することができない。
【０００５】
本発明は、上記のような従来の問題に鑑みなされたものであって、搬送物の性状、重量等に影響されることなく、単位時間当たりの定量性を確保することができ、これにより、搬送物の性状等に影響されることなく、定量性の高い安定した搬送が行える搬送装置を提供することを目的とするものである。
【課題を解決するための手段】
【０００６】
上記のような課題を解決するために、本発明は、以下のような手段を採用している。
すなわち、請求項１に係る発明は、一端に供給口を有し他端に排出口を有するケーシングと、該ケーシング内に回転可能に設けられるとともに、前記供給口から前記ケーシング内に供給される搬送物を前記ケーシング内を搬送して前記排出口に導くスクリュー羽根を有するスクリュー搬送体とを備えた搬送装置であって、前記ケーシング内における前記スクリュー羽根の１回転あたりの搬送容積が、前記供給口から排出口にかけて順次小さくなるように構成したことを特徴とする。
本発明による搬送装置によれば、ケーシング内におけるスクリュー羽根の１ピッチあたりの容積はケーシングの供給口から排出口にかけて順次小さくなるので、ケーシング内を搬送される搬送物は、排出口の方向に移動するに従って徐々に密度が高くなり、排出口付近においてその全断面を充満し、この状態で排出口からケーシング外に排出されることになる。
【０００７】
請求項２に係る発明は、請求項１に記載の搬送装置であって、前記スクリュー羽根のピッチが前記供給口から前記排出口にかけて順次小さくなるように構成したことを特徴とする。
本発明による搬送装置によれば、スクリュー搬送体のスクリュー羽根のピッチは、ケーシングの供給口から排出口にかけて順次小さくなるように構成されるので、スクリュー羽根の1ピッチあたりの容積はケーシングの供給口から排出口にかけて順次小さくなる。従って、ケーシング内を搬送される搬送物は、排出口の方向に移動するに従って徐々に密度が高くなり、排出口付近においてその全断面を充満し、この状態で排出口からケーシング外に排出されることになる。
【０００８】
請求項３に係る発明は、請求項1又は２に記載の搬送装置であって、前記ケーシングの内面形状を、前記供給口から前記排出口にかけて順次小径となる形状に形成するとともに、該内面形状に合致する形状に前記スクリュー羽根の外形を形成したこと特徴とする。
本発明による搬送装置によれば、ケーシングの内面形状は、供給口から排出口にかけて順次小径となる形状に形成されるとともに、このケーシングの内面形状に合致するように、スクリュー搬送体のスクリュー羽根の外形が形成されているので、スクリュー羽根の１ピッチあたりの容積はケーシングの供給口から排出口にかけて順次小さくなる。従って、ケーシング内を搬送される搬送物は、排出口の方向に移動するに従って徐々に密度が高くなり、排出口付近においてその全断面を充満し、この状態で排出口からケーシング外に排出されることになる。
【０００９】
請求項４に係る発明は、請求項１から３の何れかに記載の搬送装置であって、前記スクリュー搬送体は、内側スクリュー羽根と、この内側スクリュー羽根の外側に設けられ、前記内側スクリュー羽根とは逆向きの螺旋を有する外側スクリュー羽根とにより構成され、前記内側スクリュー羽根と前記外側スクリュー羽根は、互いに逆向きに回転可能とされていることを特徴とする。
本発明による搬送装置によれば、スクリュー搬送体の内側スクリュー羽根と外側スクリュー羽根とが互いに逆方向に回転することにより、ケーシング内を搬送物が両スクリュー羽根と共回りすることなく、また両スクリュー羽根に付着することなく搬送されて排出口に導かれ、排出口からケーシング外に排出されることになる。
【００１０】
請求項５に係る発明は、請求項１から４の何れかに記載の搬送装置であって、前記供給口に搬送物を供給する供給手段と、該供給手段による供給動作を前記スクリュー搬送体の負荷変動又は前記排出口からの排出量の変動に応じて制御する制御手段とを備えていることを特徴とする。  
本発明による搬送装置によれば、スクリュー搬送体の負荷変動又は通過中の搬送物の重量の変動の少なくとも何れか一方に応じて、制御手段により供給手段の供給動作が制御され、排出口付近における搬送物の状態を常に全断面を充満した状態に制御することができる。
【発明の効果】
【００１１】
以上、説明したように、本発明の請求項１に記載の搬送装置によれば、スクリュー搬送体のスクリュー羽根の１回転あたりの搬送容積をケーシングの供給口から排出口にかけて順次小さくなるように構成しているので、ケーシング内を搬送される搬送物は、排出口の方向に移動するに従って徐々に密度が高くなり、排出口においてその全断面を充満した状態で排出口からケーシング外に排出されることになる。
従って、供給口に断続的に搬送物が供給された場合、それに応じてケーシング内を搬送される搬送物の量が時間的に変動しても、単位時間当たりの定量性を確保することができるので、搬送物の種類に関わらず、定量性の高い安定した搬送を行うことができる。
【００１２】
また、請求項２に記載の搬送装置によれば、スクリュー搬送体のスクリュー羽根のピッチがケーシングの供給口から排出口にかけて順次小さくなるように構成することにより、スクリュー羽根の1ピッチあたりの容積をケーシングの供給口から排出口にかけて順次小さくなるように構成しているので、ケーシング内を搬送される搬送物は、排出口の方向に移動するに従って徐々に密度が高くなり、排出口においてその全断面を充満した状態で排出口からケーシング外に排出されることになる。
従って、供給口に断続的に搬送物が供給された場合、それに応じてケーシング内を搬送される搬送物の量が時間的に変動しても、単位時間当たりの定量性を確保することができるので、搬送物の種類に関わらず、定量性の高い安定した搬送を行うことができる。
【００１３】
さらに、請求項３に記載の搬送装置によれば、ケーシングの内面形状を、供給口から排出口にかけて順次小径となる形状に形成するとともに、ケーシングの内面形状に合致する形状にスクリュー搬送体のスクリュー羽根の外形を形成することにより、スクリュー羽根の1ピッチあたりの容積をケーシングの供給口から排出口にかけて順次小さくなるように構成しているので、ケーシング内を搬送される搬送物は、排出口の方向に移動するに従って徐々に密度が高くなり、排出口においてその全断面を充満した状態で排出口からケーシング外に排出されることになる。
従って、供給口に断続的に搬送物が供給された場合、それに応じてケーシング内を搬送される搬送物の量が時間的に変動しても、単位時間当たりの定量性を確保することができるので、搬送物の種類に関わらず、定量性の高い安定した搬送を行うことができる。
【００１４】
さらに、請求項４に記載の搬送装置によれば、スクリュー搬送体は、内側スクリュー羽根と、内側スクリュー羽根の外側に設けられ、内側スクリュー羽根とは逆向きの螺旋を有する外側スクリュー羽根とにより構成され、内側スクリュー羽根と外側スクリュー羽根は、互いに逆向きに回転可能とされているので、搬送物の性状によって排出口付近で両スクリュー羽根と搬送物とが共回りして排出口からの排出が困難になったり、ケーシング内の全体の密度が高くなって搬送物の受け入れが困難になったりするようなことはなく、また、両スクリュー羽根に搬送物が付着したりするようなことはなく、搬送物の性状に関わらず常に一定量を排出口から排出させることができ、搬送物の性状に関わらず、定量性の高い安定した搬送を行うことができる。
【００１５】
さらに、請求項５に記載の搬送装置によれば、制御手段により、スクリュー搬送体の負荷変動又は通過中の搬送物の重量の変動の少なくとも何れか一方に応じて、供給口に搬送物を供給する供給手段による供給動作が制御されることになるので、搬送物の種類に関わらず、排出口における搬送物の状態を排出口の全断面を充満した状態に制御することができ、定量性の高い安定した搬送を行うことができる。
【発明を実施するための最良の形態】
【００１６】
以下、図面を参照しつつ本発明の実施の形態について説明する。
図１には、本発明による搬送装置の第1の実施の形態が示されていて、この搬送装置１は、粉粒体等の各種の搬送物を搬送するのに有効なものであって、ケーシング２と、ケーシング２内に回転可能に設けられるスクリュー搬送体１０と、スクリュー搬送体１０を回転駆動させる駆動源１６とを備えている。
【００１７】
ケーシング２は、両端が閉塞された筒状をなすものであって、内部に密閉された円柱状の空間である搬送路３が設けられ、この搬送路３内を搬送物が一端から他端に向かって搬送される。ケーシング２の長手方向の一端部（図中左端部）には、搬送路３内外を貫通する供給口４が設けられ、この供給口４を介して搬送路３内に搬送物が供給される。ケーシング２の長手方向の他端部には、搬送路３内外を貫通する排出口５が供給口４と相対する方向を向くように設けられ、この排出口５を介して搬送路３内の搬送物が搬送路３外に排出される。
【００１８】
ケーシング２の供給口４には、漏斗状のホッパー６が設けられるとともに、このホッパー６と供給口４との境界部には、供給口４を開閉する開閉装置７が設けられ、この開閉装置７の作動により供給口４が開閉される。
なお、ホッパー６と開閉装置７とによって供給手段が構成される。
【００１９】
開閉装置７としては、供給口４を開閉できるものであれば特に制限はなく、例えば、各種のダンパー、ロータリーバルブ、各種の電磁開閉バルブ等が挙げられる。
【００２０】
開閉装置７は、制御手段１５によって作動が制御される。すなわち、制御手段１５は、駆動源１６の負荷変動による電流値の変動又は通過中の搬送物の重量の変動の少なくとも何れか一方を検出手段２０により検出し、この検出手段２０からの信号に応じて開閉装置７の開閉動作を制御する。開閉装置７の開閉動作を制御することにより、供給口４から搬送路３内への搬送物の供給量が調整され、搬送路３内に一定量の搬送物が滞留される。
【００２１】
検出手段２０としては、駆動源１６の電流値の変動を検出する電流計２０ａ、通過中の搬送物の重量の変動を検出するロードセル２０ｂ等が挙げられる。この実施の形態においては、駆動源１６の電流値の変動の検出に電流計２０ａを使用し、通過中の搬送物の重量の変動の検出にロードセル２０ｂを使用している。
【００２２】
ホッパー６には、貯蔵タンク（図示せず）が接続され、貯蔵タンクから搬送物が供給される。なお、ホッパー６に貯蔵タンクを接続せずに、直接に搬送物を供給するように構成しても良い。また、供給手段として、ホッパー６や開閉手段７を用いずに、例えば、ベルトコンベアを用いて搬送物を供給口４へ供給してもよい。その場合、制御手段１５は、ベルトコンベアのオンオフ動作や速度を、駆動源１６の負荷変動又は通過中の搬送物の重量の変動の少なくとも何れか一方に応じて制御する。
【００２３】
スクリュー搬送体１０は、ケーシング２の搬送路３内に回転可能に設けられる螺旋状の外側スクリュー羽根１２と、ケーシング２の搬送路３内に外側スクリュー羽根１２と逆方向に回転可能に設けられる、外側スクリュー羽根１２と逆向き螺旋状の内側スクリュー羽根１３とを備えている。
【００２４】
外側スクリュー羽根１２は、一端部がケーシング２の一端部から外方に突出し、その突出している部分に筒状の従動ギア１８が一体に設けられ、この従動ギア１８と後述する駆動源１６の駆動ギア１７とが相互に噛合している。
【００２５】
内側スクリュー羽根１３は、ケーシング２の搬送路３の中心部に回転可能に設けられ、周囲に外側スクリュー羽根１２が巻回するように位置している回転軸１１の周面に溶接等によって一体に接合され、回転軸１１と一体に回転するように構成されている。回転軸１１の一端部には従動ギア１９が連結され、この従動ギア１９と後述する駆動源１６の駆動ギア１７とが相互に噛合している。
【００２６】
ケーシング２に隣接する部分には、駆動源である駆動モータ１６が設けられ、この駆動モータ１６の駆動軸には駆動ギア１７が連結され、この駆動ギア１７と従動ギア１８及び従動ギア１９とが相互噛合している。
【００２７】
駆動モータ１６を作動させることにより、駆動ギア１７を介して両従動ギア１８、１９が互いに異なる方向に回転し、外側スクリュー羽根１２と内側スクリュー羽根１３とが互いに逆方向に回転する。
【００２８】
外側スクリュー羽根１２は、ケーシング２の内面との間に僅かな隙間が形成されるように外径寸法が設定されている。内側スクリュー羽根１３は、外側スクリュー羽根１２よりも外径寸法が小さく設定されている。
【００２９】
外側スクリュー羽根１２及び内側スクリュー羽根１３のピッチは、それぞれ一端側（供給口４側）から他端側（排出口５側）にかけて順次小さくなるように設定されている。従って、ケーシング２の搬送路３内において、両スクリュー羽根１２、１３の１ピッチあたりの容積は、ケーシング２の一端から他端にかけて順次小さく形成される。
【００３０】
なお、図1の例では、ケーシング２の搬送路３内を供給口４から排出口５にかけて複数（例えば、３つ）の区間に分け、各区間内において両スクリュー羽根１２、１３のピッチを同一とし、区間ごとの両スクリュー羽根１２、１３のピッチが供給口４から排出口５にかけて順次小さくなるように構成しているが、両スクリュー羽根１２、１３のピッチが連続的に小さくなるようにしても良い。
【００３１】
そして、上記のように構成したこの実施の形態による搬送装置１を用いて搬送物を搬送するには、貯蔵タンク内に貯蔵されている搬送物をホッパー６内に断続的に供給し、開閉装置７を作動させて供給口４を開放させ、供給口４からケーシング２の搬送路３内に搬送物を供給する。
【００３２】
そして、駆動モータ１６を作動させて、駆動ギア１７及び両従動ギア１８、１９を介してスクリュー搬送体１０の両スクリュー羽根１２、１３を互いに逆方向に回転させ、外側スクリュー羽根１２と内側スクリュー羽根１３との協働により、搬送物を排出口５の方向に搬送する。
【００３３】
この場合、両スクリュー羽根１２、１３の１ピッチは、一端側（供給口４側）から他端側（排出口５側）にかけて順次小さくなるように構成されて、両スクリュー羽根１２、１３の１ピッチあたりの容積が一端側から他端側にかけて順次小さくなるように構成されているので、供給口４からケーシング２の搬送路３内に供給された搬送物は、搬送路３内を移動するに従って徐々に密度が高められ、排出口５においてその全断面積を充満し、その状態で排出口５からケーシング２外に排出され、排出口５に連続する搬送物の受取部に供給されることになる。
【００３４】
従って、供給口４に断続的に搬送物が供給され、それに応じてケーシング２の搬送路３内を搬送される搬送物の量が時間的に変動しても、単位時間当たりの定量性を確保することができるので、搬送物の種類に関わらず、定量性の高い安定した搬送を行うことができる。
【００３５】
また、供給口４から搬送路３内への搬送物の供給量が過多になった場合に、ケーシング２内の排出口５側の搬送物の密度が高くなり、その密度の高い部分が供給口４側に次第に生長して駆動源の負荷が増大しようとするが、この場合、駆動源１６の負荷の変動を電流計２０ａにより検出し、電流計２０ａからの信号に応じて制御手段１５により開閉装置７の開閉動作を制御し、搬送路３内への搬送物の供給量を調整しているので、駆動源１６の負荷の変動に影響されることなく、ケーシング２内に一定量の搬送物を滞留させることができる。
【００３６】
さらに、スクリュー搬送体１０の両スクリュー羽根１２、１３の回転数を増減させることにより排出口５からの搬送物の排出量（切り出し量）を増減させた場合に、排出量の増減によってケーシング２内の搬送物の滞留量が変動しようとするが、この場合、充満部の量の変動をロードセル２０ｂで検出し、ロードセル２０ｂからの信号に応じて制御手段１５により開閉装置７の開閉動作を制御し、又は駆動源１６の負荷の変動を電流計２０ａにより検出し、その信号に応じて制御手段１５により開閉装置７の開閉動作を制御し、搬送路３内への搬送物の供給量を調整しているので、排出量の変動に影響されることなく、ケーシング２内に一定量の搬送物を滞留させることができる。
【００３７】
さらに、スクリュー搬送体１０の外側スクリュー羽根１２と内側スクリュー羽根１３とは、互いに逆方向に回転することになるので、排出口５付近で両スクリュー羽根１２、１３と搬送物とが共回りして、排出口５から搬送物を排出させることが困難になるようなことはなく、一定量の搬送物を排出口５から確実に排出させることができる。
【００３８】
なお、この実施の形態においては、一端（投入口４）から他端（排出口５）にかけて一定の区間ごとにピッチが順次小さくなるように構成したが、一端から他端にかけてピッチが連続して順次小さくなるように構成しても良いし、その場合にも同様の作用効果を奏する。
【００３９】
また、この実施の形態においては、スクリュー搬送体１０を外側スクリュー羽根１２と内側スクリュー羽根１３とによって構成したが、一つのスクリュー羽根によってスクリュー搬送体を構成しても良いものであり、その場合にも同様の作用効果を奏する。
【００４０】
図２には、本発明による搬送措置の第２の実施の形態が示されていて、この搬送装置１は、ケーシング２を一端から他端にかけて順次小径となるテーパ筒状に形成するとともに、そのケーシング２の内面形状に合致するように、スクリュー搬送体１０の外側スクリュー羽根１２及び内側スクリュー羽根１３の外形形状を形成し、さらに両スクリュー羽根１２、１３のピッチを全体に渡って一定としたものであって、その他の構成は前記第1の実施の形態に示すものと同様である。
【００４１】
そして、この実施の形態に示す搬送装置１にあっては、ケーシング２を一端から他端にかけて順次小径となるテーパ筒状に形成しているので、スクリュー搬送体１０の両スクリュー羽根１２、１３の1回転あたりの搬送容積をケーシング２の投入口４から排出口５にかけて順次小さくすることができる。
【００４２】
従って、供給口４からケーシング２の搬送路３内に供給された搬送物は、搬送路３内を移動するに従って徐々に密度が高められ、排出口５においてその全断面積を充満し、この状態で排出口５からケーシング２外に排出され、排出口５に連続する搬送物の受取部に供給されることになるので、供給口４に断続的に搬送物が供給され、それに応じてケーシング２の搬送路３内を搬送される搬送物の量が時間的に変動しても、単位時間当たりの定量性を確保することができる。
【００４３】
また、供給口４から搬送路３内への搬送物の供給量が過多になった場合には、駆動源１６の負荷の変動を電流計２０ａにより検出し、電流計２０ａからの信号に応じて制御手段１５により開閉装置７の開閉動作を制御し、搬送路３内への搬送物の供給量を調整することになるので、駆動源１６の負荷の変動に影響されることなく、ケーシング２内に一定量の搬送物を滞留させることができる。
【００４４】
さらに、スクリュー搬送体１０の両スクリュー羽根１２、１３の回転数を増減させることにより排出口５からの搬送物の排出量（切り出し量）を増減させた場合には、ケーシング２内の搬送物の滞留量が変動しようとするが、この場合、充満部の量の変動をロードセル２０ｂで検出し、ロードセル２０ｂからの信号に応じて制御手段１５により開閉装置７の開閉動作を制御し、搬送路３内への搬送物の供給量を調整することになるので、排出量の変動に影響されることなく、ケーシング２内に一定量の搬送物を滞留させることができる。
【００４５】
さらに、スクリュー搬送体１０の外側スクリュー羽根１２と内側スクリュー羽根１３とは、互いに逆方向に回転することになるので、排出口５付近で両スクリュー羽根１２、１３と搬送物とが共回りして、排出口５から搬送物を排出させることが困難になるようなことはなく、一定量の搬送物を排出口５から確実に排出させることができる。
【００４６】
なお、この実施の形態においては、スクリュー搬送体１０の両スクリュー羽根１２、１３のピッチを全体に渡って一定としたが、前記第1の実施の形態に示すように、一端（投入口４）から他端（排出口５）にかけて一定の区間ごとにピッチが順次小さくなるように構成しても良いし、一端から他端にかけてピッチが連続して順次小さくなるように構成しても良いし、その場合にも同様の作用効果を奏する。
【００４７】
また、この実施の形態においても、スクリュー搬送体１０を外側スクリュー羽根１２と内側スクリュー羽根１３とによって構成したが、一つのスクリュー羽根によってスクリュー搬送体を構成しても良いものであり、その場合にも同様の作用効果を奏する。
【００４８】
図３には、本発明による搬送措置の第３の実施の形態が示されていて、この搬送装置１は、スクリュー搬送体１０を内側スクリュー羽根１３のみによって構成するとともに、内側スクリュー羽根１３の回転軸１１を一端から他端にかけて順次径が太くなるように構成したものであって、その他の構成は前記第１の実施の形態に示すものと同様である。
【００４９】
そして、この実施の形態に示す搬送装置１にあっては、回転軸１１を一端から他端にかけて順次太くなるように構成するとともに、内側スクリュー羽根１３のピッチを一端側から他端側にかけて順次小さくなるように構成しているので、スクリュー搬送体１０の内側スクリュー羽根１３の1回転あたりの搬送容積をケーシング２の投入口４から排出口５にかけて順次小さくすることができる。
【００５０】
従って、供給口４からケーシング２の搬送路３内に供給された搬送物は、搬送路３内を移動するに従って徐々に密度が高められ、排出口５においてその全断面積を充満し、この状態で排出口５からケーシング２外に排出され、排出口５に連続する搬送物の受取部に供給されることになる。
【００５１】
この結果、供給口４に断続的に搬送物が供給され、それに応じてケーシング２の搬送路３内を搬送される搬送物の量が時間的に変動しても、単位時間当たりの定量性を確保することができるので、定量性の高い安定した搬送を行うことができる。
【００５２】
また、供給口４から搬送路３内への搬送物の供給量が過多になった場合には、駆動源１６の負荷の変動を電流計２０ａにより検出し、電流計２０ａからの信号に応じて制御手段１５により開閉装置７の開閉動作を制御し、搬送路３内への搬送物の供給量を調整することになるので、駆動源１６の負荷の変動に影響されることなく、ケーシング２内に一定量の搬送物を滞留させることができる。
【００５３】
さらに、スクリュー搬送体１０の内側スクリュー羽根１３の回転数を増減させることにより排出口５からの搬送物の排出量（切り出し量）を増減させた場合には、ケーシング２内の搬送物の滞留量が変動しようとするが、この場合、充満部の量の変動をロードセル２０ｂで検出し、ロードセル２０ｂからの信号に応じて制御手段１５により開閉装置７の開閉動作を制御し、搬送路３内への搬送物の供給量を調整することになるので、排出量の変動に影響されることなく、ケーシング２内に一定量の搬送物を滞留させることができる。
【００５４】
図４には、本発明による搬送措置の第４の実施の形態が示されていて、この搬送装置１は、スクリュー搬送体１０を内側スクリュー羽根１３のみによって構成するとともに、内側スクリュー羽根１３の回転軸１１を一端から他端にかけて順次太くなるように構成し、さらに、内側スクリュー羽根１３のピッチを一端から他端にかけて同一に構成したものであって、その他の構成は前記第１の実施の形態に示すものと同様である。
【００５５】
そして、この実施の形態に示す搬送装置１にあっては、回転軸１１を一端から他端にかけて順次太くなるように構成しているので、スクリュー搬送体１０の内側スクリュー羽根１３の1回転あたりの搬送容積をケーシング２の投入口４から排出口５にかけて順次小さくすることができる。
【００５６】
従って、供給口４からケーシング２の搬送路３内に供給された搬送物は、搬送路３内を移動するに従って徐々に密度が高められ、排出口５においてその全断面積を充満し、この状態で排出口５からケーシング２外に排出され、排出口５に連続する搬送物の受取部に供給されることになる。
【００５７】
この結果、供給口４に断続的に搬送物が供給され、それに応じてケーシング２の搬送路３内を搬送される搬送物の量が時間的に変動しても、単位時間当たりの定量性を確保することができるので、定量性の高い安定した搬送を行うことができる。
【００５８】
また、供給口４から搬送路３内への搬送物の供給量が過多になった場合には、駆動源１６の負荷の変動を電流計２０ａにより検出し、電流計２０ａからの信号に応じて制御手段１５により開閉装置７の開閉動作を制御し、搬送路３内への搬送物の供給量を調整することになるので、駆動源１６の負荷の変動に影響されることなく、ケーシング２内に一定量の搬送物を滞留させることができる。
【００５９】
さらに、スクリュー搬送体１０の内側スクリュー羽根１３の回転数を増減させることにより排出口５からの搬送物の排出量（切り出し量）を増減させた場合には、ケーシング２内の搬送物の滞留量が変動しようとするが、この場合、充満部の量の変動をロードセル２０ｂで検出し、ロードセル２０ｂからの信号に応じて制御手段１５により開閉装置７の開閉動作を制御し、搬送路３内への搬送物の供給量を調整することになるので、排出量の変動に影響されることなく、ケーシング２内に一定量の搬送物を滞留させることができる。
【００６０】
図５には、本発明による搬送措置の第５の実施の形態が示されていて、この搬送装置１は、供給口４と開閉装置７との間にフレキシブル継ぎ手２１を介装させるとともに、ケーシング２をワイヤー等の吊設手段２２によって天井部等に吊り下げた状態に支持し、さらに吊設手段２２の途中に検出手段であるロードセル２０ｂを介装させたものであって、その他の構成は前記第１の実施の形態に示すものと同様である。
【００６１】
そして、この実施の形態に示す搬送装置１にあっても、前記第１の実施の形態に示すものと同様に、両スクリュー羽根１２、１３の１ピッチは、一端側（供給口４側）から他端側（排出口５側）にかけて順次小さくなるように構成されて、両スクリュー羽根１２、１３の１回転あたりの搬送容積が一端側から他端側にかけて順次小さくなるように構成されているので、供給口４からケーシング２の搬送路３内に供給された搬送物は、搬送路３内を移動するに従って徐々に密度が高められ、排出口５においてその全断面積を充満し、その状態で排出口５からケーシング２外に排出され、排出口５に連続する搬送物の受取部に供給されることになる。
【００６２】
従って、供給口４に断続的に搬送物が供給され、それに応じてケーシング２の搬送路３内を搬送される搬送物の量が時間的に変動しても、単位時間当たりの定量性を確保することができるので、搬送物の種類に関わらず、定量性の高い安定した搬送を行うことができる。
【００６３】
また、供給口４から搬送路３内への搬送物の供給量が過多になった場合に、ケーシング２内の排出口５側の搬送物の密度が高くなり、その密度の高い部分が供給口４側に次第に生長して駆動源１６の負荷が増大しようとするが、この場合、駆動源１６の負荷の変動を電流計２０ａにより検出し、電流計２０ａからの信号に応じて制御手段１５により開閉装置７の開閉動作を制御し、搬送路３内への搬送物の供給量を調整することになるので、駆動源１６の負荷の変動に影響されることなく、ケーシング２内に一定量の搬送物を滞留させることができる。
【００６４】
さらに、スクリュー搬送体１０の両スクリュー羽根１２、１３の回転数を増減させることにより排出口５からの搬送物の排出量（切り出し量）を増減させた場合に、ケーシング２内の搬送物の滞留量が変動しようとするが、この場合、充満部の量の変動をロードセル２０ｂで検出し、ロードセル２０ｂからの信号に応じて制御手段１５により開閉装置７の開閉動作を制御し、搬送路３内への搬送物の供給量を調整することになるので、排出量の変動に影響されることなく、ケーシング２内に一定量の搬送物を滞留させることができる。
【００６５】
さらに、スクリュー搬送体１０の外側スクリュー羽根１２と内側スクリュー羽根１３とは、互いに逆方向に回転することになるので、排出口５付近で両スクリュー羽根１２、１３と搬送物とが共回りして、排出口５から搬送物を排出させることが困難になるようなことはなく、一定量の搬送物を排出口５から確実に排出させることができる。
【００６６】
図６には、本発明による搬送装置の第６の実施の形態が示されていて、この搬送装置１は、供給口４と開閉装置７との間にフレキシブル継ぎ手２１を介装させるとともに、ケーシング２を床部の上方に支持手段２２、２２によって上下方向に変位可能に支持し、さらに支持手段２３、２３の途中にロードセル２０ｂ、２０ｂを介装させたものであって、その他の構成は前記第１の実施の形態に示すものと同様である。
【００６７】
そして、この実施の形態に示す搬送装置１にあっても、前記第１の実施の形態に示すものと同様に、両スクリュー羽根１２、１３の１ピッチは、一端側（供給口４側）から他端側（排出口５側）にかけて順次小さくなるように構成されて、両スクリュー羽根１２、１３の１ピッチあたりの容積が一端側から他端側にかけて順次小さくなるように構成されているので、供給口４からケーシング２の搬送路３内に供給された搬送物は、搬送路３内を移動するに従って徐々に密度が高められ、排出口５においてその全断面積を充満し、その状態で排出口５からケーシング２外に排出され、排出口５に連続する搬送物の受取部に供給されることになる。
【００６８】
従って、供給口４に断続的に搬送物が供給され、それに応じてケーシング２の搬送路３内を搬送される搬送物の量が時間的に変動しても、単位時間当たりの定量性を確保することができるので、搬送物の種類に関わらず、定量性の高い安定した搬送を行うことができる。
【００６９】
また、供給口４から搬送路３内への搬送物の供給量が過多になった場合に、ケーシング２内の排出口５側の搬送物の密度が高くなり、その密度の高い部分が供給口４側に次第に生長して駆動源の負荷が増大しようとするが、この場合、駆動源１６の負荷の変動を電流計２０ａにより検出し、電流計２０ａからの信号に応じて制御手段１５により開閉装置７の開閉動作を制御し、搬送路３内への搬送物の供給量を調整しているので、駆動源１６の負荷の変動に影響されることなく、ケーシング２内に一定量の搬送物を滞留させることができる。
【００７０】
さらに、スクリュー搬送体１０の両スクリュー羽根１２、１３の回転数を増減させることにより排出口５からの搬送物の排出量（切り出し量）を増減させた場合に、ケーシング２内の搬送物の滞留量が変動しようとするが、この場合、充満部の量の変動をロードセル２０ｂで検出し、ロードセル２０ｂからの信号に応じて制御手段１５により開閉装置７の開閉動作を制御し、搬送路３内への搬送物の供給量を調整することになるので、排出量の変動に影響されることなく、ケーシング２内に一定量の搬送物を滞留させることができる。
【００７１】
さらに、スクリュー搬送体１０の外側スクリュー羽根１２と内側スクリュー羽根１３とは、互いに逆方向に回転することになるので、排出口５付近で両スクリュー羽根１２、１３と搬送物とが共回りして、排出口５から搬送物を排出させることが困難になるようなことはなく、一定量の搬送物を排出口５から確実に排出させることができる。
【００７２】
図７には、本発明による搬送装置の第６の実施の形態が示されていて、この搬送装置１は、供給口４と開閉装置７との間にフレキシブル継ぎ手２１を介装させるとともに、ケーシング２の一端部を床部の上部に支点２４によって支持するとともに、ケーシング２の他端部を床部の上部に支持手段２３によって支持し、さらに支持手段２３と床部との間にロードセル等の検出手段２０を介装させたものであって、その他の構成は前記第１の実施の形態に示すものと同様である。
【００７３】
そして、この実施の形態に示す搬送装置にあっても、前記第１の実施の形態に示すものと同様に、両スクリュー羽根１２、１３の１ピッチは、一端側（供給口４側）から他端側（排出口５側）にかけて順次小さくなるように構成されて、両スクリュー羽根１２、１３の１回転あたりの搬送容積が一端側から他端側にかけて順次小さくなるように構成されているので、供給口４からケーシング２の搬送路３内に供給された搬送物は、搬送路３内を移動するに従って徐々に密度が高められ、排出口５においてその全断面積を充満し、その状態で排出口５からケーシング２外に排出され、排出口５に連続する搬送物の受取部に供給されることになる。
【００７４】
従って、供給口４に断続的に搬送物が供給され、それに応じてケーシング２の搬送路３内を搬送される搬送物の量が時間的に変動しても、単位時間当たりの定量性を確保することができるので、搬送物の種類に関わらず、定量性の高い安定した搬送を行うことができる。
【００７５】
また、供給口４から搬送路３内への搬送物の供給量が過多になった場合に、ケーシング２内の排出口５側の搬送物の密度が高くなり、その密度の高い部分が供給口４側に次第に生長して駆動源１６の負荷が増大しようとするが、この場合、駆動源１６の負荷の変動を電流計２０ａにより検出し、電流計２０ａからの信号に応じて制御手段１５により開閉装置７の開閉動作を制御し、搬送路３内への搬送物の供給量を調整しているので、駆動源１６の負荷の変動に影響させることなく、ケーシング２内に一定量の搬送物を滞留させることができる。
【００７６】
さらに、スクリュー搬送体１０の両スクリュー羽根１２、１３の回転数を増減させることにより排出口５からの搬送物の排出量（切り出し量）を増減させた場合に、排出量の増減によってケーシング２内の充満部の範囲が変動しようとし、搬送物の滞留量が変動しようとするが、この場合、ケーシング２を支持している支持手段２３と床部と間に介装されているロードセル２０ｂによって搬送物を含むケーシング２の重量を検出し、この検出手段２０が検出した信号に応じて制御手段１５により開閉装置７の開閉動作を制御し、搬送路３内への搬送物の供給量を調整することになるので、排出量の変動に影響されることなく、ケーシング２内に一定量の搬送物を滞留させることができる。
【００７７】
さらに、スクリュー搬送体１０の外側スクリュー羽根１２と内側スクリュー羽根１３とは、互いに逆方向に回転することになるので、排出口５付近で両スクリュー羽根１２、１３と搬送物とが共回りして、排出口５から搬送物を排出させることが困難になるようなことはなく、一定量の搬送物を排出口５から確実に排出させることができる。
【００７８】
なお、図１に示す第１の実施の形態、図２に示す第２の実施の形態、図５に示す第５の実施の形態、図６に示す第６の実施の形態、図７に示す第７の実施の形態においては、スクリュー搬送体１０の外側スクリュー羽根１２と内側スクリュー羽根１３とが互いに逆方向に回転するように構成しているので、両スクリュー羽根１２、１３に搬送物が付着するようなことはなく、搬送物の種類に関わらず、一定量の搬送物を排出口５から確実に排出させることができる。
【図面の簡単な説明】
【００７９】
【図１】本発明による搬送装置の第1の実施の形態を示した概略図である。
【図２】本発明による搬送装置の第２の実施の形態を示した概略図である。
【図３】本発明による搬送装置の第３の実施の形態を示した概略図である。
【図４】本発明による搬送装置の第４の実施の形態を示した概略図である。
【図５】本発明による搬送装置の第５の実施の形態を示した概略図である。
【図６】本発明による搬送装置の第６の実施の形態を示した概略図である。
【図７】本発明による搬送装置の第７の実施の形態を示した概略図である。
【符号の説明】
【００８０】
１  搬送装置
２  ケーシング
３  搬送路
４  供給口
５  排出口
６  ホッパー
７  開閉装置
１０  スクリュー搬送体
１１  回転軸
１２  外側スクリュー羽根
１３  内側スクリュー羽根
１５  制御手段
１６  駆動源（駆動モータ）
１７  駆動ギア
１８、１９  従動ギア
２０  検出手段
２０ａ  電流計
２０ｂ  ロードセル
２１  フレキシブル継ぎ手
２２  吊設手段
２３  支持手段
２４  支点
【図１】
2006240778.tif 000003
【図２】
2006240778.tif 000004
【図３】
2006240778.tif 000005
【図４】
2006240778.tif 000006
【図５】
2006240778.tif 000007
【図６】
2006240778.tif 000008
【図７】
2006240778.tif 000009